(57)【特許請求の範囲】
【請求項１】
グラフィックディスプレイと、
ユーザー入力装置と、
前記グラフィックディスプレイのモーションを検出するためのモーションセンサーと、
論理サブシステムと、
前記論理サブシステムによって実行可能な命令を保持しているメモリーを含んでいて、その実行によって前記論理サブシステムが、
前記グラフィックディスプレイを介しアイコンメニューを表示し、前記アイコンメニューが二次元コレクションに配置される複数のアイコンを含み、前記複数のアイコンのアイコンそれぞれがメディアコンテンツに対するアクセスを提供し、
前記グラフィックディスプレイを介しテキストメニューを表示し、前記テキストメニューが前記メディアコンテンツを含むメディアライブラリーに対するアクセスを提供する構造化テキストリストを含み、
前記ユーザー入力装置において受信された第１のユーザー入力に応答し前記アイコンメニューをアンロックすることと、前記ユーザー入力装置において受信された第２のユーザー入力に応答し前記アイコンメニューをロックすることと、
前記アイコンメニューがロックされていない場合、前記モーションセンサーによって検出されたモーションに応答し前記構造化テキストリストをシャッフルせずに互いに関連する前記複数のアイコンをシャッフルすることと、
前記アイコンメニューがロックされている間、モーションが前記モーションセンサーによって検出された場合、前記複数のアイコンを相対的に固定された配置に保持することと、をもたらすことを特徴とするメディアシステム。
【請求項２】
前記ユーザー入力装置が、前記グラフィックディスプレイのタッチセンサー領域を含むことを特徴とする請求項１記載のメディアシステム。
【請求項３】
前記ユーザー入力装置が、ボタンを含むことを特徴とする請求項１記載のメディアシステム。
【請求項４】
前記複数のアイコンが、デフォルトの配置からシャッフルされた配置へ互いにシャッフルされることと、前記メモリーが更に、前記論理サブシステムによって実行可能な命令を含んでいて、その実行によって前記論理サブシステムが、
前記テキストメニューを対象としている第３のユーザー入力に応答し前記複数のアイコンを前記シャッフルされた配置から前記デフォルトの配置へ戻すことと、を特徴とする請求項１記載のメディアシステム。
【請求項５】
前記メモリーが更に、前記論理サブシステムによって実行可能な命令を含んでいて、その実行によって前記論理サブシステムが、
前記テキストメニューを対象としている前記第３のユーザー入力を受信することに応答し、前記アイコンメニューのサイズに対し前記テキストメニューのサイズを増やすことによって、前記テキストメニューを目立たせることを特徴とする請求項４記載のメディアシステム。
【請求項６】
前記メモリーが更に、前記論理サブシステムによって実行可能な命令を含んでいて、その実行によって前記論理サブシステムが、
少なくとも２次元の前記グラフィックディスプレイにおいて、第１の配置から第２の配置へ前記複数のアイコンのうち１つ以上のアイコンの相対配置を変更することによって、前記複数のアイコンを互いにシャッフルすることと、前記グラフィックディスプレイに対し前記複数のアイコンのアイコンそれぞれの固定した角度方向を、前記第１の配置及び前記第２の配置双方に維持することと、を特徴とする請求項１記載のメディアシステム。
【請求項７】
前記メモリーが更に、前記論理サブシステムによって実行可能な命令を含んでいて、その実行によって前記論理サブシステムが、
前記アイコンメニューがシャッフルされたとき、前記アイコンメニューから１つ以上のアイコンを削除することと、
前記アイコンメニューがシャッフルされたとき、１つ以上の新しいアイコンを前記アイコンメニューに導入し、前記１つ以上の新しいアイコンが、前記複数のアイコンがシャッフルされる前には、前記アイコンメニューを介し以前アクセス可能でなかった前記メディアライブラリーの異なるメディアコンテンツに対するアクセスを提供するものと、を特徴とする請求項１記載のメディアシステム。
【請求項８】
前記異なるメディアコンテンツが、推奨されたメディアコンテンツを含み、前記メモリーが更に、前記論理サブシステムによって実行可能な命令を含んでいて、その実行によって前記論理サブシステムが、
前記メディアシステムの作動条件に応答し前記メディアライブラリーから前記推奨されたメディアコンテンツを識別する、ことを特徴とする請求項７記載のメディアシステム。
【請求項９】
前記メディアシステムの前記作動条件が、前記複数のアイコンを介して以前アクセスされたメディアコンテンツを含むことを特徴とする請求項８記載のメディアシステム。
【請求項１０】
前記二次元のアイコンコレクションが、１つ以上の列のアイコン及び２つ以上の行のアイコンを定義していることを特徴とする請求項１記載のメディアシステム。
【請求項１１】
前記１つ以上の列のサイズ及び前記２つ以上の行のサイズが、前記複数のアイコンそれぞれのアイコンのサイズに基づいていることを特徴とする請求項１０記載のメディアシステム。
【請求項１２】
前記複数のアイコンが、前記メディアライブラリーのメディアコンテンツのサブセットを形成している前記メディアコンテンツに対するアクセスを提供することを特徴とする請求項１記載のメディアシステム。
【請求項１３】
前記メディアコンテンツが、視覚コンテンツ、音声コンテンツ、通信コンテンツ、お気に入りのコンテンツ、推奨されたコンテンツ、新たに利用可能なコンテンツ、最近追加されたコンテンツ、コンテンツ関連ニュース、ソーシャルコンテンツのうち１つ以上を含む請求項１記載のメディアシステム。
【請求項１４】
前記モーションセンサーが、光学式エレメント及び加速度計の１つ以上を含むことを特徴とする請求項１記載のメディアシステム。
【請求項１５】
メディアコンテンツを含むメディアライブラリーを有するメディアシステムを作動する方法であって、
前記メディアシステムのグラフィックディスプレイを介しアイコンメニューを表示するステップであって、前記アイコンメニューが、前記メディアライブラリーのメディアコンテンツのサブセットに対するアクセスを集合的に提供するアイコンの二次元コレクションを含むものと、
前記グラフィックディスプレイを介しテキストメニューを表示するステップであって、前記テキストメニューが、前記メディアライブラリーの前記メディアコンテンツの構造化リストを含んでいるものと、
前記アイコンメニューを対象としているユーザー入力を受信するステップと、
前記アイコンメニューを対象としている前記ユーザー入力を受信することに応答し、前記テキストリストのサイズを縮小した縮尺比へ減らすステップと、
前記メディアシステムのモーションの指示を受信するステップと、
前記テキストリストが前記縮小した縮尺比に減らされている間、前記メディアシステムのモーションの指示を受信することに応答し、前記二次元コレクション内の前記アイコンの１つ以上を第１の配置から第２の配置へ再配置するステップと、
前記テキストメニューを対象としているユーザー入力を受信するステップと、
前記テキストメニューを対象としている前記ユーザー入力を受信することに応答し、前記アイコンリストのサイズを縮小した縮尺比へ減らし、前記アイコンを前記第１の配置へ再配置するステップと、を含む方法。
【発明の詳細な説明】
【技術分野】
【０００１】
本発明は、メディアシステムに関し、具体的には、グラフィックディスプレイを介したメディアシステムに関する。
【背景技術】
【０００２】
[0001]パーソナルコンピューター、携帯電話、携帯情報端末、携帯型オーディオ／ビデオプレーヤのような計算機器は、それらのユーザーを様々な異なるコンテンツにアクセス可能にする。これらの計算装置の開発は、一般に、ユーザーが利用可能なコンテンツの範囲を拡大しようとしている。例えば、既に２つ以上の異なるこれらの計算装置から、更により広範囲なコンテンツの選択をユーザーに提供するための機能を組み込んでいる多目的の計算装置が開発されている。
【発明の概要】
【発明が解決しようとする課題】
【０００３】
本発明の目的は、アイコンメニュー及びテキストメニューを表示するグラフィックディスプレイを含むメディアシステムを提供することである。
【課題を解決するための手段】
【０００４】
[0002]グラフィックディスプレイを介し、少なくとも２つの異なる対話的メニューそれぞれが異なるメディアコンテンツ選択に対するアクセスを提供するメディアシステムが説明される。グラフィックディスプレイによって表示されるテキストメニューは、メディアライブラリーにアクセスするために使用され得る構造化テキストリストを含む。グラフィックディスプレイによって表示されるアイコンメニューは、二次元のアイコンコレクションを含んでいて、メディアライブラリーのメディアコンテンツのサブセットに対するアクセスを集合的に提供する。ユーザーは、構造化テキストリストの配置を変更せずに、メディアシステムへモーションを与えることによって、これらのアイコン構成を再配置即ち変更し得る。このように、ユーザーは、アイコンメニューによってアクセス可能なメディアコンテンツのサブセットをテキストメニューの配置に変更をもたらさず、変更し得る。
【０００５】
[0003]この「課題を解決するための手段」は、「発明を実施するための形態」に更に後述される概念のいくつかを簡易化した形式で紹介するために提供される。この「課題を解決するための手段」は、請求対象項目の重要な機能も本質的な特徴も特定するように意図されておらず、請求対象項目の範囲を限定するために利用されることも意図されていない。更に、請求対象項目は、この開示の任意の一部に記述した不都合点のいくつか又はすべてを解決する実装に限定されない。
【図面の簡単な説明】
【０００６】
【図１】[0004]非限定的なメディア機器の例を図式的に示している。
【図２】[0005]図１の非限定的なメディア機器の例として携帯メディア機器を示している。
【図３】[0006]図１のメディア機器によって実行され得る処理の流れを例示している。
【図４】[0006]図１のメディア機器によって実行され得る処理の流れを例示している。
【図５】[0006]図１のメディア機器によって実行され得る処理の流れを例示している。
【図６】[0007]図１のメディア機器のグラフィックディスプレイによって表示され得るグラフィカルユーザーインターフェースの例を示している。
【図７】[0007]図１のメディア機器のグラフィックディスプレイによって表示され得るグラフィカルユーザーインターフェースの例を示している。
【図８】[0008]図２の携帯メディア機器の文脈でメディア機器のグラフィックディスプレイによって表示されるグラフィカルユーザーインターフェースの例を示している。
【図９】[0008]図２の携帯メディア機器の文脈でメディア機器のグラフィックディスプレイによって表示されるグラフィカルユーザーインターフェースの例を示している。
【図１０】[0008]図２の携帯メディア機器の文脈でメディア機器のグラフィックディスプレイによって表示されるグラフィカルユーザーインターフェースの例を示している。
【図１１】[0008]図２の携帯メディア機器の文脈でメディア機器のグラフィックディスプレイによって表示されるグラフィカルユーザーインターフェースの例を示している。
【図１２】[0008]図２の携帯メディア機器の文脈でメディア機器のグラフィックディスプレイによって表示されるグラフィカルユーザーインターフェースの例を示している。
【図１３】[0009]図１３は、本開示の実施形態によるリモートコントローラーを含むメディアシステムを示している。
【図１４】[0010]図１４は、本開示の実施形態によるゲームコントローラーを含むメディアシステムを示している。
【発明を実施するための形態】
【０００７】
[0011]メディア機器のユーザーが利用可能なメディアコンテンツ量が増大するにつれて、ユーザーが所望したメディアコンテンツをナビゲートし、検索し、アクセスすることは、より困難であるが意欲をかきたてるだろう。以下の説明は、ユーザーがメディア機器を動かすか又は揺らすことによって、グラフィックディスプレイが表示するメディアコンテンツのサブセットを再配置及び／又は変更可能にする取組みを詳細に説明する。メディアコンテンツのサブセットが、基本的なメディアコンテンツを示しているアイコン又は別の方法で要約しているアイコンによってユーザーに図的に示され得る。このように、ユーザーは、ユーザーが見つけていない興味あるコンテンツを、より構造化されたナビゲーション動作を介した別の方法で発見し得る。他方、ユーザーは、アイコンメニューに加えて提供され得る、より構造化された階層的なメニューと対話することによって、メディアライブラリーから利用可能な選択したメディアコンテンツすべてに対するアクセスを取得し得る。
【０００８】
[0012]図１は、通信システム（１００）の文脈における非限定的なメディアシステム又はメディア機器（１１０）の例を図的に示している。メディア機器（１１０）は、以下、グラフィックディスプレイ（１２０）、ユーザー入力装置（１３０）、モーションセンサー（１４０）、論理サブシステム（１５０）、メモリー（１６０）、及び通信インターフェース（１７０）のコンポーネントうち１つ以上を含み得る。メディア機器（１１０）が本明細書に具体的に記載したものを凌駕する適切な別のコンポーネントを含み得ることを十分に理解されたい。
【０００９】
[0013]グラフィックディスプレイ（１２０）は、視覚的なメディアコンテンツを表示するための適切な任意の出力装置を含み得る。非限定的なグラフィックディスプレイ（１２０）の例は、特に、液晶ディスプレイ（ＬＣＤ）、プラズマディスプレイ、ブラウン管（ＣＲＴ）ディスプレイ、発光ダイオード（ＬＥＤ）、背面投影ディスプレイ、及び正面投影ディスプレイ、及びその組み合わせを含む。ユーザー入力装置（１３０）を参照し、詳細に説明されるグラフィックディスプレイ（１２０）は、任意に、ユーザー入力を受信するためのタッチセンサー領域を含み得る。したがって、実施形態の中には、グラフィックディスプレイ（１２０）が、入力機能性及び出力機能性双方を提供するように構成され得るものもある。
【００１０】
[0014]ユーザー入力装置（１３０）は、１つ以上のユーザー入力コンポーネントを含み得る。例えば、ユーザー入力装置（１３０）は、メディア機器がユーザー入力を受信可能にする１つ以上のボタン（１３２）を含み得る。１つ以上のボタン（１３２）は、機械式ボタン又はタッチセンサーボタンを含み得る。実施形態の中には、ユーザー入力装置（１３０）が、グラフィックディスプレイ（１２０）のタッチセンサー領域（１３４）を含み得るものもある。実施形態の中には、メディア機器が、１つ以上のボタン（１３２）及びグラフィックディスプレイのタッチセンサー領域を介し、ユーザー入力を受信し得るものもある。したがって、ユーザー入力がユーザー入力装置のユーザー入力コンポーネントの適切な任意の数及び組み合わせを介しメディア機器によって受信され得ることを十分に理解されたい。
【００１１】
[0015]メディア機器のモーションを検出するか又はより具体的にはグラフィックディスプレイ（１２０）のモーションを検出するためのモーションセンサー（１４０）は、１つ以上のセンサー素子を含み得る。実施形態の中には、モーションセンサー（１４０）が１つ以上の加速度計（１４２）を含むものもある。例えば、モーションセンサー（１４０）は、重力ベクトルに対するメディア機器のモーション及び／又はメディア機器の方向を検出するための単一軸又は複数軸の加速度計を含み得る。実施形態の中には、モーションセンサー（１４０）が、メディア機器のモーションを検出するための画像キャプチャ装置（例えばカメラ）のような光学式エレメント（１４４）を含み得るものもある。
【００１２】
[0016]実施形態の中には、モーションセンサー（１４０）が１つ以上の加速度計及び光学式エレメントを含んでいて、重力ベクトルに対するメディア機器のモーション及び／又はメディア機器の方向を検出するために組み合わせて使用され得るものもある。例えば、モーションセンサーの１つ以上の加速度計は、メディア機器の加速の変化にかかわるメディア機器のモーションを識別するために使用され得、重力ベクトルに対するメディア機器の方向の指示を提供し得るが、（例えば、メディア機器が等速で動くとき）モーションが重力ベクトルに対し、メディア機器の加速変化又はメディア機器方向における変化にかかわっていなくても、光学式エレメントがメディア機器のモーションを識別するために使用され得る。
【００１３】
[0017]論理サブシステム（１５０）は、１つ以上の命令を実行するように構成される１つ以上の物理装置を含み得る。例えば、論理サブシステムは、プログラム、ルーチン、オブジェクト、コンポーネント、データ構造、又はその他の論理構造の１つ以上のサブセットである命令の１つ以上を実行するように構成され得る。そのような命令は、タスクを実行するか、データ型を実装するか、１つ以上の装置の状態を変更するか、又は所望した結果を別の方法で達成するように実装され得る。論理サブシステムは、ソフトウェア命令を実行するように構成されている１つ以上のプロセッサーを含み得る。加えて又は代替として、論理サブシステムは、ハードウェア又はファームウェア命令を実行するように構成される１つ以上のハードウェア又はファームウェアの論理機械を含み得る。論理サブシステムは、任意に、２つ以上の機器の中で分散されている個別のコンポーネントを含み得、実施形態の中には、離れた場所に位置付けられ得るものもある。
【００１４】
[0018]メモリー（１６０）は、データ及び／又は（例えば（１６２）に図的に示した）命令を保持するように構成される１つ以上の物理装置を含み得、論理サブシステムによって実行されるとき、論理サブシステムに本明細書に記載した方法及びプロセスの実装をもたらす。メモリー（１６０）は、取り外し可能媒体及び／又は組み込み装置を含み得る。メモリー（１６０）は、特に、光学式メモリー素子、半導体メモリー素子、及び／又は磁気メモリー素子を含み得る。メモリー（１６０）は、以下、揮発性メモリー、不揮発性メモリー、動的メモリー、静的メモリー、読出し又は書込みメモリー、読出し専用メモリー、ランダムアクセスメモリー、順次アクセスメモリー、ロケーションアドレス可能メモリー、ファイルアドレス可能メモリー、及びコンテンツアドレス可能メモリーのうち１つ以上の特性を有する部分を含み得る。実施形態の中には、論理サブシステム（１５０）及びメモリー（１６０）が、１つ以上の一般的な装置及び／又は計算システムに統合され得るものもある。
【００１５】
[0019]メディア機器（１１０）は、通信インターフェース（１７０）を介し通信システム（１００）のネットワーク（１８０）と通信し得る。通信インターフェース（１７０）は、無線及び／又は有線通信を介しネットワーク（１８０）と通信するための受信機、送信機、送受信機の１つ以上を含み得る。ネットワーク（１８０）は、１つ以上のローカルエリアネットワーク及び広域ネットワークを示し得る。一例として、ネットワーク（１８０）は、インターネットを示している。別の例として、ネットワーク（１８０）は、対となる機器としてプロセスによって参照され得るメディア機器（１１０）と１つ以上の別の計算装置との間に確立される小規模ローカルエリアネットワークを示している。このように、メディア機器（１１０）は、サーバー（１９４）のような１つ以上のサーバー及び計算装置（１９２）のような１つ以上のクライアント計算装置と通信するためのネットワーク（１８０）を利用し得る。非限定的な例として、サーバー（１９４）はウェブサーバーを示していて、計算装置（１９２）は第２のメディア機器を示している。
【００１６】
[0020]図２は、非限定的な携帯メディア機器（２００）の例を示している。携帯メディア機器（２００）は、既に説明したメディア機器（１１０）を参照している。したがって、本明細書に記載した様々な方法、動作、処理の流れ、及び機能性が、メディア機器（１１０）及び携帯メディア機器（２００）によって同様に実行され得るか又は適用され得る。例えば、携帯メディア機器（２００）は、図１のグラフィックディスプレイ（１２０）に類似したグラフィックディスプレイ（２２０）を含み得る。グラフィックディスプレイ（２２０）は、図１のタッチセンサー領域（１３４）に類似したタッチセンサー領域（２３４）を含む。実施形態の中には、グラフィックディスプレイ（２２０）が、グラフィックディスプレイのタッチセンサー領域にボタンのグラフィックディスプレイを表示し得、それによってユーザー入力が、ユーザーがボタンのグラフィックディスプレイに触れたとき、グラフィックディスプレイのタッチセンサー領域を介し受信され得る。
【００１７】
[0021]携帯メディア機器（２００）は、更に、図１の１つ以上のボタン（１３２）に類似した複数のボタン（２３２）、（２３６）、及び（２３８）を集合的に含み得る。実施形態の中には、ボタン（２３２）、（２３６）、及び（２３８）が、機械式ボタン又はタッチセンサーボタンを含み得るものもある。タッチセンサーボタンは、容量性の表面を含み得る。
【００１８】
[0022]携帯メディア機器（２００）は、更に、モーションセンサー（１４０）を参照し既に説明したようなモーションセンサー（２４０）、論理サブシステム（１５０）を参照し既に説明した論理サブシステム、メモリー（１６０）を参照し既に説明したメモリー、及び通信インターフェース（１７０）を参照し既に説明したような通信インターフェースを含み得る。これらの１つ以上のコンポーネントは、携帯メディア機器（２００）の装置本体（２１０）の内部又は基板に常駐し得る。携帯メディア機器（２００）は単に、図１の非限定的なメディア機器（１１０）の例を提供していることを十分に理解されたい。
【００１９】
[0023]図３〜図５は、メディア機器（１１０）によって実行され得る処理の流れを示している。これらの処理の流れがメモリー（１６０）に保持され、論理サブシステム（１５０）によって実行され得る命令を示していることを十分に理解されたい。これらの処理の流れは、メディア機器（１１０）がグラフィックディスプレイ（１２０）を介し、２つ以上の異なるメニューを含むグラフィカルユーザーインターフェースをどのように表示し得るか説明している。図３〜図５の処理の流れの文脈でより詳細に記載されている図６は、グラフィックディスプレイ（１２０）又はグラフィックディスプレイ（２２０）によって表示され得る非限定的なグラフィカルユーザーインターフェース（６１０）の例を示している。
【００２０】
[0024]テキストメニュー（６３０）として参照されている第１のメニューは、メディアライブラリーに対するアクセスを提供する構造化テキストリストを含む。アイコンメニュー（６２０）として参照されている第２のメニューは、複数のアイコンのアイコンそれぞれがメディアコンテンツに対するアクセスを提供する複数のアイコンを含む。非限定的な例として、アイコンメニュー及びテキストメニューは、基本的なコンテンツを表示するために表示制御を仮定したアプリケーションを起動するために使用され得る。別の非限定的な例として、アイコンメニューは、選択されたとき、アイコンメニュー内部からメディアコンテンツを再生する埋め込みメディアプレーヤーを起動するために使用され得る。
【００２１】
[0025]アイコンメニュー及び構造化テキストリストを介しアクセス可能なメディアコンテンツは、視覚コンテンツ（例えば、静止画像又は動画コンテンツ）、音声コンテンツ（例えば、音楽又は音声記録）、通信コンテンツ（例えば、電話、電子メール、テキストメッセージ）、お気に入りのコンテンツ（例えば、ユーザーのお気に入りのメディアコンテンツ）、推奨されるコンテンツ（例えばメディア機器を用いた過去のユーザー活動に対応したユーザーに推奨されるコンテンツ）、ソーシャルコンテンツ（例えば、ユーザーの友人又は社交上の知合いに関連するコンテンツ）、及び／又はメディア機器によってストアされるか又はアクセス可能な適切な別の任意のコンテンツ、の１つ以上を含む。例の中には、アイコンメニューの複数のアイコンが、テキストメニューを介しアクセス可能なメディアライブラリーのメディアコンテンツのサブセットだけに対するアクセスを提供し得るものもある。
【００２２】
[0026]本明細書に記載したアイコンのようなアイコンは、アクセスを提供している基本的なメディアコンテンツの画像又はその他の適切な表現を含み得る。一例として、アイコンは、基本的なメディアコンテンツの例示的な表現を提供している画像を含み得る。別の例として、アイコンは、グラフィックス、文字、単語、埋め込みビデオクリップ、動画、又は異なる視覚的なエレメントの組み合わせを含み得る。ユーザーは、特定のアイコンを選択し得、それによって基本的なメディアコンテンツと対話し得る。映像コンテンツの文脈において、映像コンテンツに対するアクセスを提供するアイコンは、映像コンテンツの例示的なフレームを含み得る。ウェブページコンテンツの文脈において、ウェブページコンテンツに対するアクセスを提供するアイコンは、例示的なウェブページを含み得る。別の例として、アイコンは、別の方法で基本的なメディアコンテンツを示す記号又はテキスト文字を含み得る。したがって、アイコンメニューの１つ以上のアイコンが、テキストリストのテキスト項目に関連するテキスト文字と同一か又は同様のテキスト文字を含み得ることを十分に理解されたい。
【００２３】
[0027]ここで図３の処理の流れについて参照すると、（３１０）において、アイコンメニューが、グラフィックディスプレイ（１２０）を介しメディア機器によって表示され得るか又は同様に携帯メディア機器（２００）のグラフィックディスプレイ（２２０）によって表示され得る。アイコンメニューは、二次元コレクションに配置される複数のアイコンを含み得、複数のアイコンのアイコンそれぞれが、メディアコンテンツに対するアクセスを提供する。図６は、アイコンメニュー（６２０）の二次元のアイコンコレクションの例を示している。図６は、更に、複数のアイコンが、異種の相対的なサイズ及び／又は外形をどのように有し得るか例示している。例えば、グラフィックディスプレイによって表示されるアイコン（６２２）は、アイコン（６２４）と異なるサイズ及び外形を有している。アイコンのサイズ及び外形は、基本的なメディアコンテンツのタイプ及び／又は意味を変更し得る。
【００２４】
[0028]図６は、非限定的な例として、二次元のアイコンコレクションが、１つ以上の列のアイコン及び２つ以上の行のアイコンをどのように定義し得るかも示している。二次元コレクションの１つ以上の列のサイズ又は１つ以上の行のサイズは、アイコンそれぞれのサイズに基づき得る。例えば、アイコンメニュー（６２０）の領域（６２６）を参照すると、第１行のアイコンは、第２の行よりも小さな３列のアイコンを含み得、第２行の内部のアイコンは、第１行のアイコンそれぞれに対し、より大きなサイズを有する２列のアイコンだけを含み得る。
【００２５】
[0029]実施形態の中には、アイコンメニュー（６２０）の領域（６２６）が、二次元のアイコンコレクションが構造のグリッド又はアイコンの配列をどのように定義し得るか、例示しているものもある。実施形態の中には、二次元のアイコンコレクションが、加えて又は代替として、アイコンメニュー（６２０）の領域（６２８）に示したような構造化されていないグリッド又はアイコンの配列を定義し得るものもある。この具体的な例において、それぞれのアイコンは、明示的に定義された列又は行のない二次元コレクションに配置され得、むしろアイコンの相対的なサイズ及び外形が、アイコンメニューの全部の配置及び構成を定義し得る。
【００２６】
[0030]実施形態の中には、アイコンメニュー（６２０）が、別のアイコンと少なくとも一部重なる少なくとも１つのアイコン、及び／又は別のアイコンの方向と異なる方向を有する少なくとも１つのアイコンを含み得るものもある。言い換えると、アイコンは、あたかも物理的なカードによってテーブルに注がれるアイコンのような、いくらか無作為な外見を有し得る。
【００２７】
[0031]アイコンメニュー（６２０）のアイコンは、後述されるテキストメニューを介しアクセス可能なコンテンツのサブセットに相当し得る。具体的には、そのようなアイコンは、階層的なテキストメニュー構造の異なるレベルで利用可能なコンテンツに相当し得る。
【００２８】
[0032]再び、図３の処理の流れを参照すると、（３１２）において、テキストメニューが、グラフィックディスプレイ（１２０）又は（２２０）を介し表示され得る。アイコンメニューと対照的にテキストメニューは、アイコンメニューによってアクセスされるメディアコンテンツを含むメディアライブラリーに対するアクセスを提供する構造化テキストリストを含み得る。したがって、テキストメニューは、アイコンメニューよりも大量のメディアコンテンツに対するアクセスを提供し得る。メディアライブラリーは、メモリー（１６０）にストアされているメディアコンテンツを含み得るか又は参照し得、更に、サーバー（１９４）又は計算装置（１９２）のようなリモートにストアされているメディアコンテンツを含み得る。リモートメディアコンテンツは、ネットワーク（１８０）を介しメディア機器によってアクセスされ得る。このように、アイコンリストの複数のアイコンは、メディアライブラリーのメディアコンテンツのサブセットに対するアクセスだけを集合的に提供し得るが、一方、テキストメニューの構造化テキストリストは、メディアライブラリーすべて又はより大量のメディアコンテンツに対するアクセスを提供し得る。
【００２９】
[0033]非限定的なテキストメニューの例が、図６の参照番号（６３０）に示されている。テキストメニューは、１つ以上のテキスト項目を含み得、その例が（６３２）及び（６３４）に示されている。実施形態の中には、テキストメニューのテキスト項目それぞれがメディアライブラリーのメディアコンテンツのカテゴリーを参照し得るものもある。例えば、テキストメニューは、「ビデオ」を示す第１のテキスト項目（６３２）及び「電子メール」を示す第２のテキスト項目（６３４）を含み得る。実施形態の中には、アイコンがテキスト項目と一緒に表示され得るものもある。実施形態の中には、テキストリストが、単なるテキスト表現に代わって、ひと目で分かる１つ以上のアイコン（例えば、単語の「写真」に代わってカメラのアイコン形式のテキスト項目）を含み得るものもある。
【００３０】
[0034]ユーザーは、ユーザーがアクセス又は探索することを所望しているメディアコンテンツのカテゴリーを示すテキスト項目を選択することによって、メディアライブラリーを探索し得る。実施形態の中には、テキストメニュー（６３０）が、階層ファイルのツリー構造のメディアライブラリーに相当し得、相当する親子関係を有する１つ以上の構造化テキストリストを含み得るものもある。特定のテキスト項目の選択は、テキストメニューが展開することをもたらし得、メディアライブラリーのメディアコンテンツにアクセスするために使用され得るサブリストを表示する。
【００３１】
[0035]再び、図３の処理の流れを参照すると、（３１４）において、メディア機器がユーザー入力装置（１３０）を介しユーザー入力を受信し得る。（３１４）において受信されたユーザー入力が、アイコンメニュー又はテキストメニューのどちらか一方を対象とするように特徴付けられ得る。非限定的な例として、ユーザー入力は、ボタン（例えば１つ以上のボタン（１３２）又はボタン（２３２））を介するか又はグラフィックディスプレイ（１２０）のタッチセンサー領域（例えば、タッチセンサー領域（１３４）又は（２３４））を介し、アイコンメニューからアイコン又はテキストメニューからテキスト項目を選択し得る。
【００３２】
[0036]実施形態の中には、論理サブシステムが、ユーザー入力装置を介しユーザー入力を受信し、ユーザー入力が、アイコンメニュー又はテキストメニューを対象としているか否か判断するように構成され得るものもある。例えば、グラフィックディスプレイのタッチセンサー領域を介し受信されるユーザー入力の文脈において論理サブシステムは、ユーザーが、アイコンメニューにより近いか又はテキストメニューにより近いグラフィックディスプレイに触れたか否か識別し得、ユーザー入力が、アイコンメニュー及びテキストメニューどちらかにより近いか又はより最も近いメニューを対象としているか判断し得る。
【００３３】
[0037]（３１４）において受信されたユーザー入力がアイコンメニューを対象としている場合、（３１６）において、処理の流れは（３１８）へ進み得る。（３１８）において、アイコンメニューを対象としているユーザー入力の受信に応答し、アイコンメニューが目立たせられ得る（プロミネンス）。実施形態の中には、アイコンメニューが、テキストメニューのサイズに対するアイコンメニューのサイズを増やすことによって目立たされ得るものもある。例えば、アイコンメニューが、サイズが目立つ縮尺比まで増大され、テキストメニューが、サイズが縮小した縮尺比に減らされ得る。
【００３４】
[0038]図６は、縮小した縮尺比で表示されたアイコンメニュー（６２０）を示し、かつ、目立つ縮尺比で表示されたテキストメニュー（６３０）を示している。図６と対照的に、図７は目立つ縮尺比におけるアイコンメニュー（６２０）及び縮小した縮尺比におけるテキストメニュー（６３０）を表示するグラフィカルユーザーインターフェース（７１０）を例示している。非限定的な例として、（３１８）において、例えば、アイコンメニューは、アイコンメニューを対象としているユーザー入力に応答し、初めにグラフィカルユーザーインターフェース（６１０）を表示した後、グラフィカルユーザーインターフェース（７１０）の表示をグラフィックディスプレイにもたらすことによって目立たされ得る。
【００３５】
[0039]別の実施形態において、アイコンメニューは、テキストメニューのサイズを変更せず、アイコンメニューのサイズを目立つ縮尺比に増やすことによって目立たされ得る。別の実施形態において、テキストメニューは、アイコンメニューのサイズを変更せず、サイズが縮小した縮尺比に減らされ得る。このように、アイコンメニューを対象としているユーザー入力受信に応答し、アイコンメニューはグラフィックディスプレイのフォアグランドへ動く外見を与えられ得、テキストメニューはグラフィックディスプレイのバックグラウンドへ退く外見を与えられ得る。実施形態の中には、アイコンメニュー又はテキストメニューの輪郭が、縮小された縮尺比へのサイズの減少を伴い、更に、バックグラウンドへ退く外見を提供し得るものもある。更に別の実施形態において、少なくとも一時的にディスプレイから削除され得、それらのエレメントは、ユーザーの視界から完全に外に出る。
【００３６】
[0040]処理の流れは（３１８）から（３２０）へ進み得る。（３２０）において、図４を参照した動作が更に詳細に説明される。図４の処理の流れも参照すると、（４１０）において、ユーザー入力が、ユーザー入力装置を介しメディア機器において受信され得る。実施形態の中には、（４１０）において受信されるユーザー入力が、（３１４）において受信されるユーザー入力と関連のない、異なり得るものもある。例えば、（４１０）において受信されるユーザー入力は、図４の処理の流れに関連し、更に説明されるようなアイコンメニューに関連したロックコマンド又はアンロックコマンドを示し得る。対照的に（３１４）において受信されるユーザー入力が、ユーザーがアイコンメニュー又はテキストメニューと対話しているか否か示し得、（３１４）において受信されるユーザー入力が、アイコンメニュー又はテキストメニューを対象としているか否かによって識別され得る。
【００３７】
[0041]更に、ユーザー入力が、（３１４）において受信されるユーザー入力と異なるユーザー入力コンポーネントを介し、（４１０）において受信され得ることを十分に理解されたい。例えば、（４１０）において、ユーザー入力はボタン（例えば、図１の１つ以上のボタン（１３２）又は図２のボタン（２３２））を介し受信され得るが、（３１４）において、ユーザー入力はグラフィックディスプレイのタッチセンサー領域（例えば、図２のタッチセンサー領域（１３４）又はタッチセンサー領域（２３４））を介し受信され得る。別の例において、これらのユーザー入力が、（４１０）及び（３１４）において、グラフィックディスプレイの同一のボタンを介するか又は同一のタッチセンサー領域を介した同一のユーザー入力コンポーネントを介し受信され得る。別の例において、受信されるユーザー入力は、（３１４）及び（４１０）において、同一のユーザー入力（すなわち、ユーザーによる同一の物理的動作に対する応答）であり得る。
【００３８】
[0042]（４１２）において、（４１０）において受信されたユーザー入力がアイコンメニューをアンロックするためのアンロックコマンドを示している場合、処理の流れは（４１４）へ進み得る。非限定的な例として、ユーザーは、ボタン（例えば図２のボタン（２３２））を押下するか又はグラフィックディスプレイのタッチセンサー領域（例えば図２のタッチセンサー領域（２３４））に触れることによって、アイコンメニューの複数のアイコンの相対配置を変更するアイコンメニューをアンロックし得る。実施形態の中には、ユーザーのメディア機器が、グラフィックディスプレイによってアンロックコマンド又はロックコマンドの１つ以上を入力するようにプロンプトされ得るものもある。したがって、（４１２）において、論理サブシステムが、（４１０）において受信されたユーザー入力がロックコマンド又はアンロックコマンドを示すか否か判断することを十分に理解されたい。
【００３９】
[0043]（４１４）において、アイコンメニューが、（４１０）において受信されたアンロックコマンドを示すユーザー入力に応答し、アンロックされ得る（すなわちアンロックされた状態に設定される）。動作（４２４）に関してより詳細に説明されるアイコンメニューの複数のアイコンは、アイコンメニューがアンロックされるか又はアンロック状態に設定された場合、メディア機器（例えば、メディア機器を揺らすか、傾けるか、又は回転する）モーションに応答し再配置される（例えばシャッフルされる）。
【００４０】
[0044]（４１０）において受信されたユーザー入力がアンロックコマンドを示していない場合、処理の流れは（４１６）へ進み得る。（４１６）において、（４１０）において受信されたユーザー入力がアイコンメニューをロックするためのロックコマンドを示している場合、処理の流れは（４１８）へ進み得る。（４１８）において、アイコンメニューが、（４１０）において受信されたロックコマンドを示すユーザー入力に応答し、ロックされ得る。実施形態の中には、メディア機器がユーザー入力装置において受信された第１のユーザー入力に応答しアイコンメニューをアンロックし得、メディア機器がユーザー入力装置において受信された第２のユーザー入力に応答し複数のアイコンをロックし得る（すなわち、アイコンメニューを固定した状態に設定する）ものもある。例えば、ユーザーは、同一のユーザー入力コンポーネント（例えば、グラフィックディスプレイボタン又はタッチセンサー領域）を利用し得、アイコンメニューのロック及びアンロック双方を実行し得る。さもなければ、（４１２）及び（４１６）において、返答が否定と判断された場合、処理の流れが次のユーザー入力が受信され得る（４１０）へ戻り得る。
【００４１】
[0045]（４２０）において、メディア機器のモーションの指示又はメディア機器の少なくともグラフィックディスプレイの一部のモーションの指示が、モーションセンサーを介し受信され得る。例えば、モーションセンサーが１つ以上の加速度計を含むところでは、メディア機器のモーションの結果として生じるモーションの指示がメディア機器の加速に応答し、加速度計から受信され得る。モーションセンサーが光学式エレメントを含むところでは、メディア機器が重力ベクトルに対するメディア機器のどんな加速変化も方向の変更も経験しなくてもモーションの指示が、メディア機器のモーションに応答し受信され得る。
【００４２】
[0046]（４２２）において、アイコンメニューがアンロックされている（すなわち、（４１４）においてアンロック状態に設定された）場合、処理の流れは（４２４）へ進み得る。実施形態の中には、（４２４）又は（４２６）へ進む前に（４２２）において、論理サブシステムが、アイコンメニューが固定状態又はアンロック状態に設定されているか否か判断し得るものもある。
【００４３】
[0047]（４２４）において、アイコンメニューの１つ以上のアイコンが、（４２０）において受信されたモーション（すなわち、モーションセンサーによって検出されたモーション）の指示に応答し、再配置される（例えばシャッフルされる）。一例として、複数のアイコンが、無作為な方法又は所定の方法によって互いに再配置され得る。実施形態の中には、アイコンメニューがアンロックされている場合、モーションセンサーによって検出されたモーションに応答し、テキストメニューの構造化テキストリストのシャッフルも別の方法で再配置もせず、複数のアイコンが互いシャッフルされ得るものもある。（４２４）における動作が、図９〜図１２を参照し、更に詳細に説明される。
【００４４】
[0048]（４２２）において、アイコンメニューが代わりにロックされている（すなわち、（４１８）において固定した状態に設定されている）場合、処理の流れは（４２６）へ進み得る。（４２６）において、アイコンメニューがロックされている間、メディア機器のモーションがモーションセンサーによって検出された場合、アイコンメニューの複数のアイコンは相対的に固定された配置に維持され得、アイコンは互いに再配置されない。このように、アイコンメニューは、アイコンメニューがロック又はアンロックされているかによってメディア機器のモーションに異なって応答し得る。処理の流れは、（４２４）又は（４２６）から戻り得る。（４２６）における動作が図８を参照し、より詳細に説明される。
【００４５】
[0049]ここで図８を参照すると、図２の携帯メディア機器（２００）が、第１の位置（８２０）及び第２の位置（８３０）に例示されている。図８は携帯メディア機器（２００）の文脈で記載されているが、同様に図１のメディア機器（１１０）の文脈で適用され得ることを十分に理解されたい。この具体的な例において、メディア機器（２００）は、グラフィックディスプレイを介しアイコンメニュー（８４０）を表示している。アイコンメニュー（８４０）は、図３〜図７を参照し既に説明したアイコンメニューを参照し得る。この具体的な例において、アイコンメニュー（８４０）は、複数のアイコン（８０１）〜（８１２）を含んでいる。アイコンメニュー（８４０）が説明を簡単にするために図的に示されていることを十分に理解されたい。したがって、アイコンメニューがアイコンの適切な任意の数、外形、及び配置を含み得、そのようなアイコンが様々な異なる形式を取り得ることを十分に理解されたい。テキストメニュー（８６０）が縮小した縮尺比で示され、アイコンメニュー（８４０）が目立つ縮尺比で示されている。
【００４６】
[0050]携帯メディア機器は、矢印（８５０）で示したように第１の位置（８２０）から第２の位置（８３０）へ動かされたとき、アイコンメニューがロックされている場合、（例えば、図４の動作（４２６）に従って）アイコンメニュー（８４０）の複数のアイコンが相対的に固定された配置に維持される。これは、メディア機器のモーションがモーションセンサーによって検出された場合も真である。実施形態の中には、アイコンが、相対的に固定された配置に維持されているが、正しい側が上に見えるように回転し得るものもあることを理解されたい。図８によって示した例と対照的に、図９は、アイコンメニューがアンロックされているとき、アイコンメニュー（８４０）が、モーションセンサーによって検出されたモーションに応答し、どのように再配置され得るか例示している。この具体的な例において、例えば、アイコンメニュー（８４０）は、（４１４）においてアンロックされている。
【００４７】
[0051]メディア機器が図９の位置（８２０）から（８３０）へ動かされたとき、矢印（８５０）によって示されるようにアイコンメニュー（８４０）の複数のアイコンが、（８２０）に示したそれらの初期位置に対し、変換される。この具体的な例において、アイコン（８０１）〜（８１２）それぞれは、重力ベクトル（９００）に関連し変換される。図９の位置（８３０）に示したように、実施形態の中にはアイコンが、テキストメニューを少なくとも一部重ね合わせることが許可され得るものもあることを十分に理解されたい。実施形態の中には、アイコンメニューがアンロック状態に設定されたとき、アイコン（８０１）〜（８１２）それぞれが、モーションセンサーによって識別された重力ベクトルに応答した固まりを示し得るものもある。このように、メディア機器のユーザーがアイコンメニューをアンロックし、メディア機器を動かすことによって、アイコンメニューの１つ以上のアイコンを再配置し得る。
【００４８】
[0052]図１０は、アイコンメニュー（８４０）のアイコン（８０１）〜（８１２）が、メディア機器のモーションに応答し、どのように互いに再配置され得るか示す別の更なる例を示している。この具体的な例において、アイコンメニュー（８４０）は、アンロック状態に設定され、矢印（１０１０）及び（１０２０）に示されるように、振動モーションがメディア機器に伝えられる。矢印（１０１０）及び（１０２０）は、単に、振動モーションの例を図的に示したものを提供していて、メディア機器が、矢印（１０１０）及び（１０２０）によって示されるものを超えて異なる方向に揺らされ得ることを十分に理解されたい。図１０によって例示されるように、アイコンメニューのメニュー（８０１）〜（８１２）は、テキストメニューを再配置せず、図８の位置（８２０）に示されたそれらの初期の配置に対し動き始め得る。
【００４９】
[0053]図１１は、アイコンメニューのアイコンが、図１０に例示した振動モーションに応答し、どのように異なる配置へ再配置されるかに関する非限定的な例を示している。例えば、アイコンメニュー（８４０）は、例えば、図８の位置（８２０）に示したデフォルト配置から図１１に示したシャッフルされた配置へ再配置され得る。図１１によって示されるように、複数のアイコンは、グラフィックディスプレイの少なくとも２次元において、第１の配置（例えばデフォルト配置）から第２の配置（例えばシャッフルされた配置）へ複数のアイコンの１つ以上のアイコンの相対的な配置を変更することによって互いにシャッフルされ得る。グラフィックディスプレイに対し複数のアイコンそれぞれ固定された角度方向が第１の配置から第２の配置に維持され得るか、又は１つ以上のアイコンの方向が変更され得る。メディア機器のユーザーは、かさねてメディア機器のモーション（例えば、メディア機器の振動又は傾斜）などを伝えることによって、所望に応じた頻度でアイコンメニューのアイコンを再配置又はシャッフルすることが許されることを十分に理解されたい。
【００５０】
[0054]図５の処理の流れも参照すると、実施形態の中には、アイコンメニューの１つ以上のアイコンが、アイコンメニューがメディア機器のモーションによってシャッフルされたとき、（５１０）に示したようにアイコンメニューから削除されるものもある。例えば、図１１によって示されるように、アイコン（８０６）及びアイコン（８１２）がメディア機器のモーションに応答し、アイコンメニューから削除され得る。実施形態の中には、アイコンメニューから削除されるアイコンの数が、モーションセンサーによって検出されるモーションの大きさ、モーションの方向、モーションの継続時間、及び／又はモーションの頻度の１つ以上の増加に応答し、増やされ得るものもある。
【００５１】
[0055]更に、（５２０）及び（５３０）に示したように、実施形態の中には、１つ以上の新しいアイコンが、アイコンメニューがメディア機器のモーションによってシャッフルされたとき、アイコンメニューの中へ取り込まれ得るものもある。アイコンメニューへ取り込まれる１つ以上の新しいアイコンが、複数のアイコンが再配置又はシャッフルされる前に、アイコンメニューを介し以前アクセスできなかった異なるメディアコンテンツ又はメディアライブラリーのメディアコンテンツの異なるサブセットに対するアクセスを提供し得る。一例として、（５２０）において、論理サブシステムが、メディアライブラリーからメディアコンテンツを識別し得、１つ以上の新しいアイコンを介しユーザーに表示し得る。
【００５２】
[0056]実施形態の中には、（５２０）において識別されたメディアコンテンツが、推奨されるコンテンツを含み得、推奨されるコンテンツがメディア機器の作動条件に応答しメディアライブラリーから識別されているものもある。一例として、メディア機器の作動条件は、複数のアイコンを介するか、構造化テキストリストを介するか、又は別の機構を介し前にユーザーによってアクセスされたメディアコンテンツを含む。このように、メディア機器は、メディア機器とユーザーとの過去の対話に基づいて、ユーザーが以前、アクセスしたメディアコンテンツを含むメディアコンテンツを識別し得る。１つ以上の新しいアイコンが、新しいアイコンがメディアコンテンツの第２のメディアライブラリーのサブセットに対するアクセスを提供している複数のアイコンのシャッフルに応答し、アイコンメニューの１つ以上のアイコンを置き換え得る。推奨されるコンテンツが、メディア機器のメモリー基板に常駐しているメディアコンテンツを含み得るか又は計算装置（１９２）若しくはサーバー（１９４）のようなメディア機器に対し離れた場所に常駐し得ることを十分に理解されたい。
【００５３】
[0057]（５３０）において、１つ以上の新しいアイコンが、メディア機器のモーションによってアイコンが再配置又はあるいはシャッフルされたとき、アイコンメニューの中へ取り込まれ得る。例えば、アイコンメニューへ取り込まれた新しいアイコンが、（５２０）において識別されたメディアコンテンツに対するアクセスを提供し得る。実施形態の中には、アイコンメニューへ取り込まれる新しいアイコンの数が、（５１０）においてアイコンメニューから削除されるアイコンの数と等しいものもある。このように、ユーザーは、メディア機器を動かすか又は揺らすことによって、メディアライブラリーのメディアコンテンツの異なるサブセットに対するアクセスを提供する新しいアイコンをアイコンメニューの中へ取り込み得る。
【００５４】
[0058]非限定的な例として、アイコンメニューのアイコンそれぞれが、メディアライブラリーのメディアコンテンツに関する異なるカテゴリーを示し得る。例えば、異なるアイコンは、以下、新しいメディアコンテンツ、ユーザーによってアクセスされたメディアコンテンツの履歴、お気に入りのメディアコンテンツ、ユーザーの友人又は知人に関連するメディアコンテンツ、及びその他適切なメディアカテゴリーのうち１つ以上のメディアカテゴリーが提供され得る。図５の処理の流れは、（例えば（５１０）において）メディアコンテンツの異なるカテゴリーを示すアイコンをアイコンメニューから削除するために使用され得、それによって（例えば（５３０）において）アイコンリストへ取り込まれる新しいアイコンは、厳選したメディアカテゴリーのメディアコンテンツを示すアイコンを含み得る。
【００５５】
[0059]例えば、処理の流れの（５２０）において、１つ以上の新しいアイコンを介し表示するために識別された新しいメディアコンテンツは、お気に入りのメディアコンテンツのメディアカテゴリー内部で識別したメディアコンテンツを含み得る。したがって、アイコンメニューがアンロック状態にある間、ユーザーのメディア機器の振動又は動きに応答し、グラフィックディスプレイは、お気に入りのメディアコンテンツカテゴリー（又はその他適切な任意のメディアコンテンツカテゴリー）のサブセットのメディアコンテンツに対するアクセスを提供する１つ以上の新しいアイコンを表示し得る。
【００５６】
[0060]実施形態の中には、更にメディア機器を揺らした時、アイコンメニューの中へ取り込まれる新しいアイコンが、同一のメディアカテゴリー内に存在するコンテンツにもアクセスを提供し得るものもある。例えば、メディア機器の振動に応答し、グラフィックディスプレイは、特定のメディアカテゴリーの次のページ上か又はコンテナーファイル上にあるメディアコンテンツを示すアイコンを表示し得る。（５２０）において、アイコンメニューの中へ取り込まれる新しいメディアコンテンツ及び関連する新しいアイコンが、無作為に識別され得るか、又は規定の基準（例えば、ファイルサイズ、最後にユーザーによってアクセスされてからの時間、ユーザーによってアクセスされた時間、ファイル名など）に基づいて識別され得ることを十分に理解されたい。更に、アイコンメニューの中へ取り込まれる新しいアイコンによってアクセスされ得る新しいコンテンツが、機器のメモリー基板に常駐し得るか、又は有線又は無線通信を介しアクセス可能な離れた場所（例えば、ユーザーのパーソナルコンピューター）に常駐し得ることを十分に理解されたい。
【００５７】
[0061]実施形態の中には、メディア機器が、メディア機器の振動に応答し、異なるメディアコンテンツのカテゴリーからアイコンメニューへ新しいアイコンを取り込むように構成され得るものもある。上記の例を続けると、お気に入りのメディアコンテンツカテゴリーのサブセットであるメディアコンテンツに対するアクセスを提供するアイコンが、メディア機器の振動に応答しアイコンメニューから削除され、新しいアイコンが、前にユーザーによってアクセスされたメディアコンテンツの履歴に関連するメディアコンテンツのような異なるカテゴリーのメディアコンテンツを示すアイコンメニューの中へ取り込まれ得る。このように、メディア機器は、メディア機器が揺らされる度にメディアコンテンツの特定のカテゴリーを拡大し、その後、異なるカテゴリーからコンテンツを表示することによって、メディア機器の振動に応答するように構成され得る。
【００５８】
[0062]また再び、図３の処理の流れに戻ると、ユーザー入力がアイコンメニューを対象としていない（例えば、（３１６）が否定と判断された）場合、処理の流れは（３２２）へ進み得る。（３１４）において受信されたユーザー入力がテキストメニューを対象としている場合、（３２２）において、処理の流れは（３２４）へ進み得る。（３２４）において、テキストメニューは、アイコンメニューサイズに対しテキストメニューのサイズを増やすことによって、目立たされ得る。例えば、図６及び図７を参照し既に説明したように、アイコンメニューはサイズが縮小した縮尺比に減らされ、テキストメニューは図６に示したようにサイズが目立つ縮尺比に増大され得る。別の実施形態において、アイコンメニューのサイズを変更せずに、テキストメニューはサイズが増大され得る。更に別の実施形態において、テキストメニューのサイズを変更せずに、アイコンメニューはサイズが減らされ得る。このように、テキストメニューは、テキストメニューを対象としているユーザー入力の受信に応答し、グラフィックディスプレイのフォアグランドへ動く外見を与えられ得、アイコンメニューは、グラフィックディスプレイのバックグラウンドへ動く外見を与えられ得る。
【００５９】
[0063]（３２６）において、アイコンメニューの複数のアイコンは、任意に、（３１４）においてテキストメニューを対象としているユーザー入力の受信に応答し、シャッフルされた配置からデフォルトの配置へ再配置され得る。例えば、第１のユーザー入力がアイコンメニューをアンロックし、第２のユーザー入力がアイコンメニューをロックするところでは、テキストメニューを対象としている第３のユーザー入力は、モーションがないときでもアイコンメニューのロック状態にもかかわらず、アイコンメニューがデフォルトの配置へ再配置され得ることをもたらす。このように、アイコンメニューのサイズは、第３のユーザー入力がアイコンメニューを対象としている場合、ユーザー入力装置において受信した第３のユーザー入力に応答し、テキストメニューのサイズに対し増大され得、テキストメニューのサイズは、ユーザー入力装置において受信した第３の入力がテキストメニューを対象としている場合、アイコンメニューのサイズに対し増大され得る。したがって、テキストメニューを対象としている単一のユーザー入力は、アイコンメニューが（３２６）において再配置されることをもたらし、（３２４）においてテキストメニューが目立たされることをもたらす一方、アイコンメニューが目立つ縮尺比で表示されるとき、アイコンメニューを再配置する（例えばシャッフルする）ための少なくとも２つの異なるユーザー入力が使用され得、アイコンメニューを目立たせ、アイコンメニューをアンロックする。処理の流れは（３２０）又は（３２６）から戻り得る。
【００６０】
[0064]ここで図１２を参照すると、実施形態の中には、複数のアイコンがシャッフルされた後、付加的なユーザー入力の受信を必要とせずに所定の配置に戻され得るものもある。例えば、アイコンメニューがシャッフルされた後、メディア機器のモーションに応答し、図８の位置（８２０）に示された配置から図１２に示された配置へ進み得る。別の実施形態において、複数のアイコンがシャッフルされた後、図１１に示されているように、ユーザー入力がユーザー入力装置において受信され複数のアイコンが規定の配置に戻されることをもたらすまで、構造化されないか又はランダムな配置のままであり得る。
例えば、ユーザーはアイコンメニューをシャッフルすることができ、ボタンを押下するか又はグラフィックディスプレイのタッチセンサー領域を触れることによって、それらがシャッフルされた後、アイコンが所定の配置へ戻ることをもたらす。
【００６１】
[0065]図１３は、本開示の実施形態によるメディアシステム（１３００）の実施形態の例を示している。本明細書に使用されている語句「メディアシステム」は、本明細書に記載している方法及びプロセスを実行するようにお互いに協力し得るすべての機器及び／又は機器の組み合わせを説明するために使用される。語句「メディア機器」は、（例えば、グラフィックディスプレイ、モーションセンサー、ユーザー入力などの）機能部品を単一の装置と統合したメディアシステムを説明するために使用される。したがって、メディアシステム（１３００）は、既に説明したメディア機器（１１０）に類似していて、前述した様々な方法、動作、処理の流れ、及び機能性が、メディアシステム（１３００）によって同様に実行され得るか又は適用され得る。この具体的な実施例において、少なくともいくつかのメディアシステム（１３００）のコンポーネントは、有線又は無線通信を介し相互に通信し得る物理的に別個の装置コンポーネントとして提供される。
【００６２】
[0066]例えば、メディアシステム（１３００）は、図１のグラフィックディスプレイ（１２０）に類似しているグラフィックディスプレイ（１３２０）を含み得る。実施形態の中には、グラフィックディスプレイ（１３２０）がテレビ又はコンピューターのモニターを含み得るものもある。メディアシステム（１３００）は更に、携帯メディア機器（１３１０）がドッキングされ得るドッキングステーション（１３１２）を含み得る。携帯メディア機器（１３１０）は、例えば、図２の携帯メディア機器（２００）を参照し得る。携帯メディア機器（１３１０）は、ドッキングステーション（１３１２）にドッキングされたとき、ドッキングステーション（１３１２）から充電されたバッテリーと通信し、電力を受信し得る。
【００６３】
[0067]メディアシステム（１３００）は、更に、リモートコントローラー（１３３０）を含み得る。リモートコントローラー（１３３０）は、ボタン（１３３２）のような１つ以上のボタンを含んでいて、更にモーションセンサー（１３４０）を含み得る。ボタン（１３３２）は、図１の１つ以上のボタン（１３２）に類似していて、モーションセンサー（１３４０）は、図１のモーションセンサー（１４０）に類似している。
【００６４】
[0068]コンテンツにアクセスし、どのくらいのコンテンツがグラフィックディスプレイ（１３２０）を介し表示されるか再配置をするためのリモートコントローラー（１３３０）が、ユーザーによって作動され得る。例えば、図３〜５の処理の流れを参照し既に説明したようにユーザーは、ボタン（１３３２）のようなボタンを押下し、グラフィックディスプレイを介し表示されるアイコンメニューをアンロックし得る。ユーザーは、その後、モーションセンサー（１３４０）によって検出されるように、リモートコントローラー（１３３０）を揺らし得るか又は動かし得、アイコンメニューのアイコンが再配置される（例えばシャッフルされる）ことをもたらす。したがって、図１３の実施形態の例は、メディアシステムが物理的に別個の複数の装置コンポーネントの協力を介し、本明細書に記載した様々な機能及びプロセスをどのように実行し得るか例示している。
【００６５】
[0069]図１４は、更に別のメディアシステム（１４００）の実施形態の例を示している。メディアシステム（１４００）は、既に説明したメディア機器（１１０）に類似している。したがって、本明細書に記載した様々な方法、動作、処理の流れ、及び機能性が、同様に実行され得るか又はメディアシステム（１４００）に適用され得る。図１３の実施形態に関して、メディアシステム（１４００）は、有線又は無線通信を介し相互に通信し得る２つ以上の別個の物理コンポーネント機器を含み得る。
【００６６】
[0070]例えば、メディアシステム（１４００）は、ボタン（１４３２）及びモーションセンサー（１４４０）を含むグラフィックディスプレイ（１４２０）及びコントローラー（１４３０）を含み得る。コントローラー（１４３０）は、コンソール（１４１０）を介しグラフィックディスプレイ（１４２０）と通信し得る。非限定的な例において、メモリー（１６０）及び論理サブシステム（１５０）がコンソール（１４１０）に常駐し得る。図３〜図５の処理の流れを参照し既に説明したように、ユーザーは、ボタン（１４３２）のようなボタンを押下し得、グラフィックディスプレイ（１４２０）を介し表示されるアイコンメニューをアンロックする。ユーザーは、その後、アイコンメニューのアイコンに再配置（例えばシャッフル）をもたらすモーションセンサー（１４４０）によって検出されるように、コントローラー（１４３０）を揺らすか又は動かし得る。したがって、図１４の実施形態の例は、メディアシステムが物理的に別個の複数の装置コンポーネントの協力を介し、本明細書に記載した様々な機能及びプロセスをどのように実行し得るか示している。
【００６７】
[0071]本明細書に記載した構成及び／又は手法は、本来、例示的であって、具体的なこれらの実施形態又は例は、多数の多様性が有り得るため、限定した意味として考えられないように理解されたい。本明細書に記載した特定のルーチン又は方法は、１つ以上のプロセス戦略をいくらでも示している。したがって、例示した様々な動作が、例示した順番で、別の順番で、並列で、又は場合によっては省略され、実行され得る。同様に、前述したプロセスの順序は変更され得る。
【００６８】
[0072]本開示の対象項目は、本明細書に開示した様々なプロセス、システム及び構成、並びにその他の特徴、機能、動作及び／又は特性に関する新規的な自明でない組み合わせ及び部分的な組み合わせすべて、並びにその同等物のいくつか及びすべてを含む。
【符号の説明】
【００６９】
１００  通信システム
１１０  メディア機器
１２０  グラフィックディスプレイ
１３０  ユーザー入力装置
１３２  ボタン（複数）
１３４  タッチセンサー領域
１４０  モーションセンサー
１４２  加速度計
１４４  光学式エレメント
１５０  論理サブシステム
１６０  メモリー
１６２  実行可能な命令
１７０  通信インターフェース
１８０  ネットワーク
１９２  計算装置
１９４  サーバー
２００  携帯メディア機器
２１０  装置本体
２２０  グラフィックディスプレイ
２３２  ボタン
２３４  タッチセンサー領域
２３６  ボタン
２３８  ボタン
２４０  モーションセンサー
６１０  グラフィカルユーザーインターフェース
６２０  アイコンメニュー
６２２  アイコン
６２４  アイコン
６２６  領域
６２８  領域
６３０  テキストメニュー
６３２  テキスト項目
６３４  テキスト項目
７１０  グラフィカルユーザーインターフェース
８０１  アイコン
８０２  アイコン
８０３  アイコン
８０４  アイコン
８０５  アイコン
８０６  アイコン
８０７  アイコン
８０８  アイコン
８０９  アイコン
８１０  アイコン
８１１  アイコン
８１２  アイコン
８２０  第１の位置
８３０  第２の位置
８４０  アイコンメニュー
８５０  矢印
８６０  テキストメニュー
１０１０  矢印
１０２０  矢印
１３００  メディアシステム
１３１０  携帯メディア機器
１３１２  ドッキングステーション
１３２０  グラフィックディスプレイ
１３３０  リモートコントローラー
１３３２  ボタン
１４００  メディアシステム
１４１０  コンソール
１４２０  グラフィックディスプレイ
１４３０  コントローラー
１４３２  ボタン
１４４０  モーションセンサー
【図１】
0005433006.tif 000002
【図２】
0005433006.tif 000003
【図３】
0005433006.tif 000004
【図４】
0005433006.tif 000005
【図５】
0005433006.tif 000006
【図６】
0005433006.tif 000007
【図７】
0005433006.tif 000008
【図８】
0005433006.tif 000009
【図９】
0005433006.tif 000010
【図１０】
0005433006.tif 000011
【図１１】
0005433006.tif 000012
【図１２】
0005433006.tif 000013
【図１３】
0005433006.tif 000014
【図１４】
0005433006.tif 000015